(57)【要約】【課題】  再生動作に悪影響を与えない範囲内で規格上の転送レート（回転数）よりも低い転送レートで光ディスクを回転させるようにして騒音の発生やアンバランスが原因となる振動の発生を抑制することができる光ディスクを提供する。【解決手段】  再生すべき通常データと、再生装置に用いられ、複数のバッファ容量を有するバッファメモリ部のそれぞれの容量に対して前記バッファメモリ部がアンダフローを生じない範囲で低下させることができる最低転送レートが記録されている最低転送レートテーブルとを光ディスクのリードイン領域Ｄｉｎに記録しておく。【選択図】  図１                                                        
2005158123.tif 000002
【特許請求の範囲】
【請求項１】
再生すべき通常データと、再生装置に用いられ、複数のバッファ容量を有するバッファメモリ部のそれぞれの容量に対して前記バッファメモリ部がアンダフローを生じない範囲で低下させることができる最低転送レートが記録されている最低転送レートテーブルとを有していることを特徴とする光ディスク。
【請求項２】
請求項１に規定される光ディスクを再生装置により再生する際に、
前記光ディスクの最低転送テーブルを読み込む工程と、
前記再生装置に用いられるバッファメモリ部であって、光ピックアップからの再生信号を復調して光ディスク信号を形成する光ディスク信号復調部と前記光ディスク信号を復調してコンテンツ信号を出力するコンテンツ信号復調部との間に設けられて前記光ディスク信号を一時的に蓄積するバッファメモリ部の容量と前記最低転送テーブルとを比較する比較工程と、
前記比較工程の比較結果に基づいて最低転送レートを求める工程と、
前記求めた最低転送レートに基づいて前記光ディスクを回転させて通常データを再生する再生工程と、
を有することを特徴とする光ディスクの再生方法。
【請求項３】
光ディスクを回転するモータ部と、
前記光ディスクから情報を読み取る光ピックアップと、
前記光ピックアップにより読み取られた再生信号を復調して光ディスク信号を形成する光ディスク信号復調部と、
前記光ディスク信号をコンテンツ信号に復調するコンテンツ信号復調部と、
前記光ディスク信号復調部と前記コンテンツ信号復調部との間に設けられて前記光ディスク信号を一時的に蓄積するバッファメモリ部と、
前記モータ部の回転数を変えて転送レートを制御すると共に、前記光ディスク信号復調部と前記コンテンツ信号復調部と前記バッファメモリ部とを制御するシステム制御部と、を有する光ディスクの再生装置において、
前記システム制御部は、請求項１に規定する光ディスクを再生する際に前記光ディスクの最低転送レートテーブルを読み込んで前記バッファメモリ部の容量に対応する最低転送レートを用いて再生を行なうことを特徴とする光ディスクの再生装置。
【発明の詳細な説明】
【技術分野】
【０００１】
本発明は、光ディスク、光ディスクの再生方法及び再生装置に関する。
【背景技術】
【０００２】
情報記録円盤としてＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）を含む光ディスクは広く用いられている。この種のＣＤ−ＲＯＭやＤＶＤで円盤を高速回転する際は、ダイナミックアンバランスや風切音が使用者の静かな鑑賞を妨げる場合が有った。このため再生装置側の技術的対処として、特許文献１に示すように、コンピュータ用のデータディスクと音楽や映画等のコンテンツ鑑賞型のディスクとを判別して、前者は高速で再生し、後者は低速で再生する技術が開示されている。
【０００３】
ところで最近、光ディスクにＨＤ（Ｈｉｇｈ  Ｄｅｆｉｎｉｔｉｏｎ）解像度の映画を収録しようと言う動きが活発になってきた。この場合、再生波長が６５０ｎｍのレーザ光を使う普通のＤＶＤ盤にＨＤ画像の記録再生を行うには、従来のＳＤ（Ｓｔａｎｄａｒｄ  Ｄｅｆｉｎｉｔｉｏｎ）解像度の場合よりも転送レートが高い場面が多くあり、このために従来の標準転送（再生）レートである１０．０８Ｍｂｐｓ（１Ｘ）に対して３倍（３Ｘ) のスピードで円盤を回転して転送レートを確保するのが、考えられる技術である。
ＤＶＤ盤では転送レートとして１０．０８Ｍｂｐｓ（１Ｘ）、５．０４Ｍｂｐｓ（０．５Ｘ）、２．５２Ｍｂｐｓ（０．２５Ｘ）の３種類が規定されており、リードイン領域でのフラグで指定できるようになっている。この技術の目的は低転送レートでコンテンツを再生する際に回転数を落として再生装置の消費電力を節約する事を可能にするためである。
【０００４】
【特許文献１】特開２００２−３６７２７６号公報
【発明の開示】
【発明が解決しようとする課題】
【０００５】
ところで、３Ｘ（３０．２４Ｍｂｐｓ）の転送レートを得るための回転速度でディスクを再生する場合、ディスクのダイナミックアンバランスは、１Ｘの場合と比べて速度比の２乗で悪影響を及ぼすことからこの悪影響は８倍となる。アンバランスが発生する加速度は角速度の２乗に比例するからである。このためにディスクのアンバランス規格は１Ｘ盤の場合よりも厳しく決めるのが妥当であるが、一方ではディスクの量産時における生産性も考慮する必要が有る。この理由で３Ｘ盤をアンバランス規格値として理想的な程には小さくは出来ない為、再生装置においてはアンバランスが原因の振動や騒音の発生は解決したい課題となっている。
【０００６】
ＤＶＤ光ディスクの３Ｘ盤ではディスクの風切音も無視できない量となり、対策としては再生装置から風切音が漏れないようにすれば良いが、冷却通風口を設けなければならないことや遮音対策コストの問題がある。
本発明は、以上のような問題点に着目し、これを有効に解決すべく創案されたものである。本発明の目的は、再生動作に悪影響を与えない範囲内で規格上の転送レート（回転数）よりも低い転送レートで光ディスクを回転させるようにして騒音の発生やアンバランスが原因となる振動の発生を抑制することができる光ディスク、光ディスクの再生方法、光ディスクの再生装置を提供することにある。
【課題を解決するための手段】
【０００７】
本発明者は光ディスクの騒音等について鋭意研究した結果、高回転ディスク規格の中で再生装置の動作の静粛性を確保するためには、高回転の具体的な数値としては、１２ｃｍ光ディスクで回転数が毎分３５００回転程度を超えると静粛性が気になり始める場合が多く、ＤＶＤを例に説明すると映画などのプログラムがスタートする半径２４ｍｍの位置（回転数が最も高くなる位置）では、２Ｘの転送レートの時に回転数が３０５６ｒｐｍ、２．５Ｘの転送レートの時に回転数が３８２０ｒｐｍ、３Ｘの転送レートの時に回転数が４５８４ｒｐｍであり、ディスクの回転数を２Ｘの転送レートの時の回転数以下に設定できれば、静粛な再生動作が確保できる、という知見を得ることにより本発明に至ったものである。
【０００８】
請求項１に係る発明は、再生すべき通常データと、再生装置に用いられ、複数のバッファ容量を有するバッファメモリ部のそれぞれの容量に対して前記バッファメモリ部がアンダフローを生じない範囲で低下させることができる最低転送レートが記録されている最低転送レートテーブルとを有していることを特徴とする光ディスクである。
【０００９】
請求項２に係る発明は、請求項１に規定される光ディスクを再生装置により再生する際に、前記光ディスクの最低転送テーブルを読み込む工程と、前記再生装置に用いられるバッファメモリ部であって、光ピックアップからの再生信号を復調して光ディスク信号を形成する光ディスク信号復調部と前記光ディスク信号を復調してコンテンツ信号を出力するコンテンツ信号復調部との間に設けられて前記光ディスク信号を一時的に蓄積するバッファメモリ部の容量と前記最低転送テーブルとを比較する比較工程と、前記比較工程の比較結果に基づいて最低転送レートを求める工程と、前記求めた最低転送レートに基づいて前記光ディスクを回転させて通常データを再生する再生工程と、を有することを特徴とする光ディスクの再生方法である。
【００１０】
請求項３に係る発明は、光ディスクを回転するモータ部と、前記光ディスクから情報を読み取る光ピックアップと、前記光ピックアップにより読み取られた再生信号を復調して光ディスク信号を形成する光ディスク信号復調部と、前記光ディスク信号をコンテンツ信号に復調するコンテンツ信号復調部と、前記光ディスク信号復調部と前記コンテンツ信号復調部との間に設けられて前記光ディスク信号を一時的に蓄積するバッファメモリ部と、前記モータ部の回転数を変えて転送レートを制御すると共に、前記光ディスク信号復調部と前記コンテンツ信号復調部と前記バッファメモリ部とを制御するシステム制御部と、を有する光ディスクの再生装置において、前記システム制御部は、請求項１に規定する光ディスクを再生する際に前記光ディスクの最低転送レートテーブルを読み込んで前記バッファメモリ部の容量に対応する最低転送レートを用いて再生を行なうことを特徴とする光ディスクの再生装置である。
【発明の効果】
【００１１】
本発明によれば、再生動作に悪影響を与えない範囲内で規格上の転送レート（回転数）よりも、ディスクの回転数を下げて低い転送レートで光ディスクを再生するようにしたので、ディスクの回転数を低下させた分だけ風切音等の騒音の発生を抑制させることができ、またその分、アンバランスが原因となる振動等も抑制することができる。
【発明を実施するための最良の形態】
【００１２】
以下に、本発明に係る光ディスク、光ディスクの再生方法及び光ディスクの再生装置の一実施例を添付図面に基づいて詳述する。
図１は本発明の再生システムに含まれる光ディスクの再生装置を示すブロック構成図、図２は本発明の光ディスクを作製する際のコンテンツ信号復調部へ入る光ディスク信号の転送レートの変化とバッファメモリ部内のデータ蓄積量の変化を示すグラフ、図３は光ディスクの再生動作を示すフローチャート、図４は光ディスクを作製する際に行われる転送レート検査モードを示すフローチャート、図５は図４に示す最低転送レート検査モードを各種パラメータを変更して行なう時のフローチャート、図６は図５中のサブルーチンを示すフローチャートである。
【００１３】
図１に示すように、この再生システムは、光ディスクＤ１と光ディスクの再生装置２を含む。上記光ディスクＤ１には通常データが記録されていると共に、リードイン領域Ｄｉｎにはディスク識別記号（「ディスクＩＤ」とも称す）や規格上の転送レートや本発明の特徴とする最低転送レートテーブル等が記録されている。この最低転送レートテーブルには、再生装置に用いられる後述するようなバッファメモリ部の異なる容量のそれぞれに対して当該バッファメモリ部がアンダフローを生じない範囲で低下させることができる最低転送レートが、各異なる容量に対応させて記録されている。また市販されている再生装置では、バッファメモリ部の容量は、規格を満たした状態で種々の異なる容量が用いられているのが一般的である。
【００１４】
上記光ディスクの再生装置２は、光ディスクＤ１から情報を読み取って再生信号Ｓ１を形成する光ピックアップ４と、上記再生信号Ｓ１を復調して光ディスク信号Ｓ２を形成する光ディスク信号復調部６と、上記光ディスク信号Ｓ２（具体的には後述するＳ３）を復調して映像信号や音声信号等のコンテンツ信号Ｓ４を出力するコンテンツ信号復調部８と、上記光ディスク信号復調部６と上記コンテンツ信号復調部８との間に介在されて上記光ディスク信号Ｓ２を一時的に蓄積して光ディスク信号Ｓ３として読み出されるバッファメモリ部１０と、上記光ディスクＤ１を回転させるモータ部１２と、上記モータ部１２の回転数を変えて転送レートを制御すると共に上記光ディスク信号復調部６と、コンテンツ信号復調部８と、バッファメモリ部１０等を制御する例えばマイクロコンピュータ等よりなるシステム制御部１４とを主に有している。
【００１５】
上記光ディスク信号復調部６は、サーボ信号を取り出す回路やＡ／Ｄ変換器やエラー訂正回路（ＥＣＣ回路）等を含み、例えば光ディスクＤ１に記録されているＥＦＭ・Ｐｌｕｓ信号である１６ビットの再生信号Ｓ１を元の８ビットの光ディスク信号Ｓ２に復調する。尚、上記形成されたサーボ信号は、サーボ部１６へ送られて、光ピックアップ４のフォーカス・トラッキング制御を行なう。ここでは光ディスクＤ１の情報は、例えばＣＬＶ（線速度一定）で読み出される。
また上記コンテンツ信号復調部８は、伸長回路を有しており、例えばＭＰＥＧ変調されている光ディスク信号Ｓ２（Ｓ３）を復調して上記したように映像信号等のコンテンツ信号Ｓ４を出力する。
【００１６】
上記システム制御部１４は、上記サーボ部１６を介して光ディスクＤ１の回転数（転送レート）を制御する。このシステム制御部１４は、上記光ディスクＤ１を再生する際に、上記最低転送レートテーブルを読み込んで、当該バッファメモリ部１０の容量に対応する最低転送レートを用いて再生を行なうようになっている。すなわち、上記光ディスクＤ１の作製時には、バッファメモリ部１０の種々の異なった容量に対してアンダフロー（データ蓄積量がゼロ以下になる）を生じさせない範囲内で低下させることができる当該光ディスクＤ１の最低転送レートを求めるための最低転送レート検査モードを行って、この時求めた最低転送レートと各バッファメモリ容量とを対応させて上記したように最低転送レートテーブルとして上記リードイン領域Ｄｉｎに記録されている。例えばバッファメモリ部の異なる各容量に対応させて最低転送レートとして例えば”２．５Ｘ”、”２Ｘ”、”１Ｘ”等が記録されている。
【００１７】
さて、このような再生装置２において、光ディスクＤ１からの情報の再生が一旦、開始されたならば、コンテンツ信号復調部８からは途中で中断することなくコンテンツ信号を出力しなければならない。ここで一般的には、光ディスクＤ１から光ピックアップ４によって読み取られる再生信号Ｓ１の転送レートは、コンテンツ信号復調部８へ入力される光ディスク信号Ｓ３の転送レートよりも高いので、このコンテンツ信号復調部８の前段にバッファメモリ部１０を設けることによって光ディスクＤ１から先読みした情報（通常データ）を、このバッファメモリ部１０に一時的に蓄積しつつ後段の要求に応じて出力するようになっている。そして、バッファメモリ部１０のデータ蓄積量が常に一定の範囲内を維持するように、光ピックアップ４は読み取りを行なう操作と読み取りを行わないキック操作とを交互に適宜繰り返し行なうことになる。
【００１８】
次に、実際の再生動作について図３も参照して説明する。
この光ディスクの再生動作（方法）は、前記光ディスクＤ１の最低転送テーブルを読み込む工程と、前記再生装置２に用いられるバッファメモリ部１０であって、光ピックアップ４からの再生信号Ｓ１を復調して光ディスク信号Ｓ２を形成する光ディスク信号復調部６と前記光ディスク信号Ｓ２（Ｓ３）を復調してコンテンツ信号Ｓ４を出力するコンテンツ信号復調部８との間に設けられて前記光ディスク信号Ｓ２を一時的に蓄積するバッファメモリ部１０の容量と前記最低転送テーブルとを比較する比較工程と、前記比較工程の比較結果に基づいて最低転送レートを求める工程と、前記求めた最低転送レートに基づいて前記光ディスクＤ１を回転させて通常データを再生する再生工程とを有する。
具体的には、再生が開始されると、光ピックアップ４は光ディスクＤ１のリードイン領域Ｄｉｎを読みに行き、ここでディスクＩＤと、この規格上の転送レートの情報と、最低転送レートテーブルの情報とを読み取る（Ｓ１）。ここでは、この光ディスクＤ１はＨＤ盤であるので規格上の転送レートは例えば”３Ｘ”に規定してあるものと仮定する。このディスクＩＤの情報と規格上の転送レートの情報と最低転送レートテーブルの情報はシステム制御部１４へ送られる。
次に、システム制御部１４ではこの最低転送レートテーブルが光ディスクＤ１に記録されていたか否かを判断する（Ｓ２）。この場合、ＹＥＳの時には、そのテーブル中から、当該再生装置２のバッファメモリ部１０の容量に対応する最低転送レートを求め、この求めた最低転送レートをセットする（Ｓ３）。例えばディスクＩＤが”００２”の時は最低転送レートとして”２Ｘ”をセットする。
【００１９】
これにより、システム制御部１４は、上記規格上の転送レート”３Ｘ”ではなく、この最低転送レート”２Ｘ”で、すなわち上記最低転送レート”２Ｘ”で定まる線速度でモータ部（スピンドルモータ）１２を回転することになり、この後に読み出される画像データ等の通常のデータはバッファメモリ部１０側へ送られて最終的にコンテンツ信号Ｓ４として再生される。これにより、回転数を低下できた分だけ光ディスクＤ１の風切音の発生やディスクのアンバランスを原因とする振動等の発生を抑制することができる。
【００２０】
一方、上記ステップＳ２においてＮＯの場合、すなわち最低転送レートテーブルが存在しない場合には、上記規格上の転送レート”３Ｘ”をセットする（Ｓ４）。そして、システム制御部１４は、この規格上の転送レート”３Ｘ”で、すなわちこの転送レート”３Ｘ”で定まる線速度でモータ部１２を回転することになる。従って、この場合にはディスクの風切音や振動等が発生することになる。
ここでディスクの作製業者が光ディスクを作製する際に行なう最低転送レート検査モードについて図２〜図６も参照して説明する。この場合、光ディスクの作製業者が用いる再生装置の一例として図１に示す再生装置を用いて説明する。
【００２１】
まず、図２のグラフから説明する。図２（Ａ）は光ディスクの作製業者が用いる再生装置において、コンテンツ信号復調部８へ入る光ディスク信号Ｓ３の転送レートの変化を示し、図２（Ｂ）はバッファメモリ部１０内のデータ蓄積量の変化を示すグラフである。ここでは光ディスクＤ１から光ピックアップ４への読み取りの転送レートＴｄｐを２０Ｍｂｐｓと仮定し、またバッファメモリ部１０の容量を特定の値、例えば２５６Ｍｂｉｔ（この値は後で種々変更される）であると仮定する。尚、図２（Ｂ）でデータ蓄積量が満杯になっていないのは、僅かに余裕をとっているからである。
【００２２】
図２（Ａ）に示すように、Ａ点では転送レートが鋭く上方に飛び出して３３Ｍｂｐｓ程度まで大きくなっているが、この部分の時間は少ないため、バッファメモリ部１０内のデータ蓄積量の減少（消費）は中程度である。このようなＡ点の画像は、例えば画面全体の動きが激しいような画像である。これに対して、Ｂ点に示すように、転送レートが２５Ｍｂｐｓ程度でもこの状態が長時間持続する場合にはデータ蓄積量の減少（消費）は非常に大きく、このＢ点の後に転送レートが比較的大きいＣ点がきた時、データ蓄積量は回復していないので、バッファメモリ部１０内のデータ蓄積量は更に大きく落ち込んでおり、図２（Ｂ）中のＰ１点で最低となっている。
【００２３】
このようにして光ディスクの全データに対して上記した図２に示したようなグラフを求めるとバッファメモリ部１０内のデータ蓄積量が最低となる点、例えばＰ１点が求まる。そして、このＰ１点におけるメモリ空き領域容量Ｖ１が、この光ディスクＤ１を再生する時に必要とされる最低のメモリ容量であり、この最低のメモリ容量が、このバッファメモリ部１０の全容量に対してどの程度の割合かを判断することによってどの程度、転送レート（回転数）を下げることができるか、すなわち、転送レートをバッファメモリ部１０のアンダフローが生じない範囲でどの程度まで下げることができるかを計算で求める。換言すれば、光ディスクＤ１の回転数を下げる程、Ｐ１点の谷は深くなり、この谷底がデータ蓄積量”ゼロ”になる直前まで回転数を下げることができるので、この時の最低の回転数、すなわち最低転送レートを求める。実際には、転送レート（回転数）の値は、通常は連続的ではなく、例えば”１．５Ｘ””２Ｘ”、”２．５Ｘ”のように間欠的に定まるので、上記間欠的な値より小さくならない範囲で最も小さい値を当該光ディスクへの最低転送レートとして決定することになる。
【００２４】
以上の動作を図４に示すフローを参照して説明する。
この最低転送レート検査モードでは、コンテンツの進行の例えば１秒毎のデータ量を測定、または読み取ってシステム制御部１４のテンポラリメモリ（図示せず）に書き込んで、コンテンツの再生が終了した時点で規格の転送レートに対してどの程度まで転送レート（回転数）を下げられるか計算を行って最低転送レートを求め、更に、この操作をバッファメモリ部１０の容量を種々変更して行い、その結果を前述のように光ディスクＤ１のリードイン領域Ｄｉｎの最低転送レートテーブルに記録する。
【００２５】
まず、前述のように、光ディスクＤ１から光ピックアップ４への転送レート（再生速度）をＴｄｐとし、コンテンツ信号復調部８におけるデータ消費量、すなわち第ｋ番目（正の整数）のＧＯＰ（Ｇｒｏｕｐ  Ｏｆ  Ｐｉｃｔｕｒｅｓ）のデータ量Ｔｋとすると、単位時間毎、例えば０．５秒毎、或いは１秒毎に上記転送レートＴｄｂからコンテンツ復調部８のデータ消費量Ｔｋを引き算してその増加データ量（Ｔｄｐ−Ｔｋ）を求める（Ｓ１１）。尚、この増加データ量がマイナスになる場合もあることは前述した通りである。またＧＯＰとは、動画圧縮規格ＭＰＥＧで定められている映像フレームの１まとまりの単位グループを指し、１５フレーム（０．５秒）又は３０フレーム（１秒）を１まとまりとして扱うのが典型的である。
【００２６】
次に、上記増加データ量（Ｔｄｐ−Ｔｋ）を累積加算してバッファメモリ部１０内の現在のデータ蓄積量Ｍｔｂを求める（Ｓ１２）。ただしバッファメモリ部１０がオーバフローした際はそれ以上の加算は行わない。次に上記ステップＳ１１及びＳ１２をデータの再生が完了するまで行なう（Ｓ１３）。
次に、上記バッファメモリ部１０の容量に対してアンダフローを生じさせない範囲内で低下させることができる最低転送レート（回転数）を求める（Ｓ１４）。ここでアンダフローが生ずると、使用者が映像等を楽しんでいる時にその映像が一時的に途切れてしまうからである。
このようにして、バッファメモリ部１０の１つの容量に対する最低転送レートを求める処理は終了することになるが、このような一連の操作を必要とされる異なる容量に対して行ってそれそれの容量に対応する最低転送レートを求める。このように、バッファメモリ部の容量を種々変更して最低転送レートを求める時の流れを図５及び図６も参照して説明する。
【００２７】
一般的な再生装置のトラックバッファ部の容量はコストとのトレードオフで幾種類かが考えられて、具体的には８Ｍｂｙｔｅ、３２Ｍｂｙｔｅ等が用いられる。また、年月の進展と共にトラックバッファ部の容量は、大きく出来ることが期待できる。これらを考慮すると、ディスクには将来を見越して複数の異なるバッファ容量に対する最低転送レートを記録しておくと、再生装置側ではディスク再生時にこれを有効に利用できる事が期待できる。
ディスク上のリードイン領域に適当な大きさの単位、例えばディスク全体又はチャプター毎等に、上記の複数のバッファ容量に対する最低転送レートを記録しておく。再生装置側ではこれを用いて自装置のトラックバッファ部の容量と照らし合わせて必要最小限の再生速度（回転数）とし、これにより再生装置の静粛性を確保することができる。
【００２８】
画像情報等に関してＭＰＥＧ等の圧縮を終えた段階で典型的にはＧＯＰ（Ｇｒｏｕｐ  Ｏｆ  Ｐｉｃｔｕｒｅｓ）毎に圧縮後のデータ量は判明しているので、前述のようにＧＯＰ単位で計算を行うのが都合よい。画像情報にはオーディオデータや字幕データ等も付加されるが説明を簡単にする為に省略する。ＧＯＰは典型的には０．５秒１５フレーム単位で扱われ、１２０分（７２００秒）の映画では１４４００個のデータ量をエンコーディングの結果から受け取る。ディスク−ピックアップ間の転送レート（再生速度）Ｔｄｐの基準値は、ここでは例えば前述のように３Ｘ（＝３０Ｍｂｐｓ）であり、この値は規格としてエンコーディング時に既に意識されており、３Ｘで再生する限りは、ＭＰＥＧで規定されている比較的小容量のバッファメモリ部でコンテンツデコードの破綻は起きない。これを２．５Ｘや２Ｘで再生可能な条件を再生装置に伝える為には、ディスクの製作時に、対象とする再生装置の有するバッファメモリ部の最大容量Ｍｔｂｍａｘとする。この最大容量Ｍｔｂｍａｘとして例えば２〜５１２Ｍｂｙｔｅを想定する。そして、再生装置のバッファメモリ部のアンダフローに関してディスクの製造前に計算する。
【００２９】
図５に示すように、このフローチャートでは、半固定パラメータは転送レートＴｄｐの１．５Ｘ、２Ｘ、２．５Ｘ及びバッファメモリ部の最大容量Ｍｔｂｍａｘの１〜５１２Ｍｂｙｔｅ（実際には間欠値）である。上記半固定パラメータの転送レートＴｄｐを、１．５〜２．５Ｘの範囲で順次間欠的に変更し（Ｓ２１）、また、上記バッファメモリ部の最大容量Ｍｔｂｍａｘを１〜５１２Ｍｂｙｔｅの範囲で適宜間欠的に変更し（Ｓ２２）、そして後述するサブルーチンを行って（Ｓ２３）、それぞれに対応する最低転送レートを求める。そして、上記操作をＴｄｐやＭｔｂｍａｘの全てに関して完了するまで行う（Ｓ２４）。
【００３０】
次に、上記サブルーチンのフローについて説明する。まず、ここでは先に設定した半固定パラメータＴｄｐ、Ｍｔｂｍａｘを受け取っており、図６に示すように、初期設定としてｋ（正の整数）＝１、Ｍｔｂ（バッファメモリ部のデータ蓄積量）＝１Ｍｂｙｔｅとし、更に、ＧＯＰのｋ（正の整数）毎のデータ量をバッファメモリ部１０からコンテンツ信号復調部８へ送出する（Ｓ３１）。これにより、１ＧＯＰ分のデータがバッファメモリ部１０から送出される（Ｓ３１）。このようにバッファメモリ部１０のデータ蓄積量Ｍｔｂを初期に１Ｍｂｙｔｅに設定する理由は、再生の開始初期時にバッファメモリ部１０のアンダフローが発生することを防止するために上記した程度のデータ量を当初に蓄積させるためである。
【００３１】
次に、”ｋ”の値を１つインクリメントし（Ｓ３２）、増加データ量（Ｔｐｄ−Ｔｋ）を先のデータ蓄積量Ｔｔｂに加えて、バッファメモリ部１０中の現在のデータ蓄積量Ｔｔｂを求める（Ｓ３３）。尚、前述したようにＴｔｂはディスクから光ピックアップに読み込まれる転送レートであり、Ｔｋは第ｋ番目のＧＯＰのデータ量（データ消費量）である。
次に、”Ｏ”と”Ｍｔｂ”と”Ｍｔｂｍａｘ”の大きさを比較する（Ｓ３４）。すなわち、バッファメモリ部に対して”オーバフロー／どちらでもない／アンダフロー”のいずれかであるかを調べる。ここで”Ｍｔｂ＞Ｍｔｂｍａｘ”の場合、すなわちバッファメモリ部１０の現在のデータ蓄積量がここで設定しているバッファメモリ部１０の容量を越えて大きい場合には（実際にはこのような状態は生ぜず、光ピックアップはデータを取り込まないでキックをして待機している）、バッファメモリ部１０の現在の設定容量Ｍｔｂｍａｘを現在のデータ蓄積量Ｍｔｂであるとして設定する（Ｓ３５）。そして、”ｋ”の値が最終値でないならば、先のステップＳ３２へ戻る（Ｓ３６）。そして上記ステップＳ３３等を繰り返し行うことにより、増加分のデータ量が累積加算されて行くことになる。
【００３２】
またステップＳ３４での比較が”Ｏ＜Ｍｔｂ＜Ｍｔｂｍａｘ”の場合にもステップ３６を経てステップ３２へ戻る。またステップＳ３４での比較が”Ｏ≧Ｍｔｂ”の場合には、ディスクからの読み取りデータ量が少な過ぎてバッファメモリ部１０内のデータ蓄積量Ｍｔｂがゼロ以下になってしまったことを意味するので（例えば画像が途中で途切れる）、この時のバッファメモリ部１０の設定容量は小さ過ぎることを意味し、この時のバッファメモリ容量に対してＯＫ／ＮＧフラグをＮＧ（図７中の”×”印に対応）とする（Ｓ３７）。すなわち、現在設定されているＴｄｐでの転送レート（回転数）ではバッファメモリ部１０の容量が小さ過ぎることを意味する。この場合にはサブルーチンを終了することになる。
【００３３】
またステップＳ３６において”ｋ”の値が最終値の場合には、ＯＫ／ＮＧフラグをＯＫ（図７中の”○”印に対応）とし（Ｓ３８）、サブルーチンを終了する。このようにして、図７に示すような表（テーブル）が求まることになる。図７はディスク−光ピックアップ間の転送レートとバッファメモリ容量との関係である最低転送レートテーブルを示す図である。尚、ここでは”３Ｘ”については参考的に記載しており、また、バッファメモリ部のある値で”○”印になれば、それ以上大きな容量（右側方向）では必ず”○”印となるので、この部分も参考的に記載している。実際には、”×”印と”○”印の境界部分が認識できれば、自装置のメモリバッファ部の容量が”×”印か”○”印かを比較して判断することができ、光ディスクＤ１のリードイン領域Ｄｉｎには、上記”×”印と”○”印の境界部分が最低転送レートテーブルとして予め記録されている。
【００３４】
従って、各使用者が上記光ディスクを再生する場合には、前述したように上記図７中に示すような表を取り込んで、自己の再生装置のバッファメモリ部の容量と対応させ、”○”印の付いている転送レート、すなわち最低転送レートをセットして再生するようにすれば、映像等が途中で途切れることなく低い回転数でディスクを回転でき、その分、風切音等の騒音の発生やアンバランスによる振動等の発生を抑制することができる。
【００３５】
次に、上記した光ディスクの製造工程について図８を参照して簡単に説明する。図８は光ディスクの製造工程を示す説明図である。
図８において、記憶媒体３０には通常データの他に、図７を参照して説明したような表のデータ等が記憶されており、この種のデータがシステムコンピュータ３２の制御下のもとにエンコーダ３４にてコード化される。このコード化された信号は、Ｅ／Ｏ（電気・光）変調器３６にて、例えばガスレーザユニット３８からのレーザ光ＬＡを変調し、この変調されたレーザ光が光ピックアップ４０を介して原盤４２上に情報を記録することになる。この原盤４２は、例えばスタンパーを作製するための原盤である。またこの種の光ディスクの作製は、光ディスクメーカでけだなく、通常の市販されている記録装置に適用して搭載することができ、これにより家庭用の記録再生装置としても採用することができる。
【００３６】
以上のように、本発明によれば、最低転送レートがディスク規格上の転送レートよりも小さくなっていれば、再生映像等に悪影響を与えることなくディスクの風切音等の騒音の発生やアンバランスによる振動等の発生を確実に抑制することができる。
尚、本実施例では最低転送レートの値として、”２．５Ｘ”、”２Ｘ”、”１．５Ｘ”、”１Ｘ”の場合を例にとって説明したが、これに限定されず、他の値、例えば更に細かい値等を用いるようにしてもよい。
【図面の簡単な説明】
【００３７】
【図１】本発明の再生システムに含まれる光ディスクの再生装置を示すブロック構成図である。
【図２】本発明の光ディスクを作製する際のコンテンツ信号復調部へ入る光ディスク信号の転送レートの変化とバッファメモリ部内のデータ蓄積量の変化を示すグラフである。
【図３】光ディスクの再生動作を示すフローチャートである。
【図４】光ディスクを作製する際に行われる転送レート検査モードを示すフローチャートである。
【図５】図４に示す最低転送レート検査モードを各種パラメータを変更して行なう時のフローチャートである。
【図６】図５中のサブルーチンを示すフローチャートである。
【図７】ディスク−光ピックアップ間の転送レートとバッファメモリ容量との関係である最低転送レートテーブルを示す図である。
【図８】光ディスクの製造工程を示す説明図である。
【符号の説明】
【００３８】
２…再生装置、４…光ピックアップ、６…光ディスク信号復調部、８…コンテンツ信号復調部、１０…バッファメモリ部、１２…モータ部、１４…システム制御部、１６…サーボ部、Ｄ１…光ディスク、Ｓ１…再生信号、Ｓ２，Ｓ３…光ディスク信号、Ｓ４…コンテンツ信号。
【図１】
2005158123.tif 000003
【図２】
2005158123.tif 000004
【図３】
2005158123.tif 000005
【図４】
2005158123.tif 000006
【図５】
2005158123.tif 000007
【図６】
2005158123.tif 000008
【図７】
2005158123.tif 000009
【図８】
2005158123.tif 000010